(57)【要約】　　　（修正有）【課題】誤ったファクシミリ送信であることを相手側装置の使用者が認識し、相手側装置の使用者が受信拒否信号を生成した場合には、かかる相手側装置に対して電話回線を介しての接続を繰り返し試行することを停止するファクシミリ装置を提供する。【解決手段】電話回線を介して相手側装置との接続が確立された状態において、相手側装置から受信拒否信号を受信した場合、ファクシミリ送信制御手段は電話回線を介しての相手側装置との接続を解消すると共に、受信拒否信号を受信した相手側に対する電話回線を介しての接続の確立を繰り返し試行することを中止する。【選択図】図２
2004140753.tif 000002
【特許請求の範囲】
【請求項１】
画像を読み取って画像情報信号を生成するための画像読取手段、該画像情報信号に基いてファクシミリ信号を生成するファクシミリ信号生成手段、及びファクシミリ送信制御手段を具備し、
ファクシミリ送信の際には、該ファクシミリ送信制御手段は電話回線を介して相手側装置との接続を確立し、相手側装置から受信了承信号を受信した後に該ファクシミリ信号生成手段が生成するファクシミリ信号を電話回線を介して相手側装置に送信し、電話回線を介しての相手側装置との接続に失敗した時には、所定時間間隔をおいて電話回線を介しての相手側装置との接続の確立を繰り返し試行し、電話回線を介して相手側装置との接続を確立したが相手側装置から該受信了承信号を受信しなかった時には、電話回線を介しての相手側装置との接続を解消し、所定時間間隔をおいて電話回線を介しての相手側装置との接続を繰り返し試行するファクシミリ装置において、
電話回線を介して相手側装置との接続が確立された状態において、相手側装置から受信拒否信号を受信した場合、該ファクシミリ送信制御手段は電話回線を介しての相手側装置との接続を解消すると共に、該受信拒否信号を受信した相手側に対する電話回線を介しての接続の確立を繰り返し試行することを中止する、ことを特徴とするファクシミリ装置。
【請求項２】
相手側装置はプッシュボタン式電話機であり、該受信拒否信号はプッシュボタンを操作することによって生成される、請求項１記載のファクシミリ装置。
【発明の詳細な説明】
【０００１】
【発明の属する技術分野】
本発明は、ファクシミリ信号を相手側装置に送信する機能を有するファクシミリ装置、更に詳しくは、相手側装置へのファクシミリ信号の送信に失敗した場合には、所定時間をおいて相手側装置へのファクシミリ信号の送信を自動的に所定回数繰り返し試行する型のファクシミリ装置に関する。
【０００２】
【従来の技術】
周知の如く、相手側装置へのファクシミリ信号の送信に失敗した場合には、所定時間間隔をおいて相手側装置へのファクシミリ信号の送信を自動的に所定回数繰り返し試行する型のファクシミリ装置が広く実用に供されている。かようなファクシミリ装置は、画像を読み取って画像情報信号を生成するための画像読取手段、画像情報信号に基いてファクシミリ信号を生成するファクシミリ信号生成手段、及びファクシミリ送信制御手段を具備している。ファクシミリ送信の際には、ファクシミリ送信制御手段は電話回線を介して相手側装置との接続を確立し、そして相手側装置から受信了承信号を受信した後にファクシミリ信号生成手段が生成するファクシミリ信号を電話回線を介して相手側装置に送信する。例えば、相手側装置が既に電話回線を介して第三の装置に接続されている通信中の場合（所謂ビジー状態）、ファクシミリ送信制御手段は、所定時間間隔をおいて電話回線を介しての相手側装置との接続を所定回数に渡って繰り返し試行する。また、電話回線を介しての相手側装置との接続を確立したが、例えば相手側装置に紙詰まり等のトラブルが発生していて受信不可能である、或いは相手側装置がファクシミリ受信機能を備えていない電話機である等に起因して、相手側装置から受信了承信号（即ち受信可能状態であることを示す信号）を受信しなかった場合にも、電話回線回線を介しての相手側装置との接続を解消し、所定時間間隔をおいて電話回線を介しての相手側装置との接続を所定回数に渡って試行する。
【０００３】
【発明が解決しようとする課題】
而して、上述した型のファクシミリ装置が、例えば相手側装置の電話番号の入力ミスに起因してファクシミリ受信機能を備えていない電話機を相手側装置として作動せしめられた場合、相手側装置の使用者は多大な迷惑を被る。即ち、電話回線を介しての接続の際に呼出し音により呼び出され、受話器を取り上げると、ファクシミリ送信であることを示す不快な音を聞くことになる。そして、誤ったファクシミリ送信のための接続であることを認識した後に、受話器を戻して接続を解消することになるが、一旦接続を解消しても、送信側ファクシミリ装置は所定時間間隔をおいて自動的に電話回線を介しての接続を自動的に所定回数繰り返し試行する故に、繰り返し不快な状態に巻き込まれることになる。
【０００４】
本発明は上記事実に鑑みてなされたものであり、その主たる技術的課題は、誤ったファクシミリ送信であることを相手側装置の使用者が認識し、相手側装置の使用者が受信拒否信号を生成した場合には、かかる相手側装置に対して電話回線を介しての接続を繰り返し試行することを停止し、相手側装置の使用者を繰り返し不快な状態に巻き込むことを回避する、新規且つ改良されたファクシミリ装置を提供することである。
【０００５】
【課題を解決するための手段】
本発明によれば、上記主たる技術的課題を達成するファクシミリ装置として、画像を読み取って画像情報信号を生成するための画像読取手段、該画像情報信号に基いてファクシミリ信号を生成するファクシミリ信号生成手段、及びファクシミリ送信制御手段を具備し、
ファクシミリ送信の際には、該ファクシミリ送信制御手段は電話回線を介して相手側装置との接続を確立し、相手側装置から受信了承信号を受信した後に該ファクシミリ信号生成手段が生成するファクシミリ信号を電話回線を介して相手側装置に送信し、電話回線を介しての相手側装置との接続に失敗した時には、所定時間間隔をおいて電話回線を介しての相手側装置との接続の確立を繰り返し試行し、電話回線を介して相手側装置との接続を確立したが相手側装置から該受信了承信号を受信しなかった時には、電話回線を介しての相手側装置との接続を解消し、所定時間間隔をおいて電話回線を介しての相手側装置との接続を繰り返し試行するファクシミリ装置において、
電話回線を介して相手側装置との接続が確立された状態において、相手側装置から受信拒否信号を受信した場合、該ファクシミリ送信制御手段は電話回線を介しての相手側装置との接続を解消すると共に、該受信拒否信号を受信した相手側に対する電話回線を介しての接続の確立を繰り返し試行することを中止する、ことを特徴とするファクシミリ装置が提供される。
【０００６】
相手側装置はプッシュボタン式電話機である場合、該受信拒否信号はプッシュボタンを操作することによって生成されるのが好都合である。
【０００７】
【発明の実施の形態】
以下、本発明に従って構成されたファクシミリ装置の好適実施形態について、添付図面を参照して更に詳細に説明する。
【０００８】
図１を参照して説明すると、全体を番号２で示すファクシミリ装置は、画像読取手段４、ファクシミリ信号生成手段６、ファクシミリ送信制御手段を構成すると共に図示の実施形態においてはファクシミリ受信制御手段をも構成するファクシミリ送受信制御手段８、受信信号復調手段１０及び画像生成手段１２を含んでいる。光学的走査手段を含む形態でよい画像読取手段４は、ファクシミリ送信すべき画像を読み取って画像情報信号を生成し、かかる画像情報信号をファクシミリ信号生成手段６に供給する。フアクシミリ信号生成手段６は、画像読取手段４から供給された画像情報信号をフクシミリ送信に適したファクシミリ信号に変換する。ファクシミリ送受信制御手段８は、テンキー等の種々の手動操作キーを有する手動操作パネル１４を含んでおり、手動操作によって入力される指示信号に応じて、公衆電話回線１６を介した相手側装置（図示していない）との接続、相手側装置へのファクシミリ信号の送信、相手側装置からのファクシミリ信号の受信等を制御する。かかるファクシミリ送受信制御手段８の作用については後に更に言及する。受信信号復調手段１０は、相手側装置から受信したファクシミリ信号を画像情報信号に復調して、画像生成手段１２に供給する。静電式画像形成手段から構成することができる画像生成手段１２は、受信信号復調手段１０から供給された画像情報信号に応じて画像を生成する。
【０００９】
図示のファクシミリ装置２における画像読取手段４、ファクシミリ信号生成手段６、受信信号復調手段１０及び画像生成手段１２自体の構成は、当業者には周知の構成でよい故に、これらの詳細についての説明は本明細書においては省略する。図示のファクシミリ装置２は画像に対応したファクシミリ信号を相手側装置に送信するファクシミリ送信機能と共に、相手側装置から受信したファクシミリ信号に応じて画像を生成するファクシミリ受信機能も備えているが、本発明はファクシミリ送信機能のみを備えたファクシミリ装置にも適用することができる。
【００１０】
図１と共に図２を参照してファクシミリ送受信制御手段８によるファクシミリ送信制御様式について説明すると、ファクシミリ信号を送信すべき指令が入力されると、ステップｎ−１においてファクシミリ送受信制御手段８は、相手側装置の電話番号をダイヤルアップして公衆回線１６を介して相手側装置との接続を試行する。ステップｎ−２において、相手側装置がビジー状態である等によって相手側装置との接続が確立できなかった場合にはステップｎ−３に進み、ステップｎ−３においては接続試行が例えば５回でよい所定回数遂行されたか否が判別される。接続試行が所定回数に達していない場合には、ステップｎ−４に進み所定時間間隔をおいた後に、上記ステップｎ−１に戻って接続試行を繰り返す。上記ステップｎ−３において接続試行が既に所定回数遂行された場合には、ファクシミリ送信を終了する。上記ステップｎ−２において接続を確立することができた場合には、ステップｎ−５に進み、相手側装置からファクシミリ信号の受信を了承する受信了承信号を受信したか否かが判別される。受信了承信号を受信した場合には、ステップｎ−６に進みファクシミリ信号を相手側装置に送信し、しかる後に相手側装置との接続を解消してファクシミリ送信を終了する。
【００１１】
一方、上記ステップｎ−５において受信了承信号を受信しなかった場合、本発明のファクシミリ装置においてはステップｎ−７に進む。そして、このステップｎ−７においては、受信拒否信号を受信したか否かが判別される。例えば、上記ステップｎ−１において電話番号の誤り等に起因して接続が確立された相手側装置が通常のプッシュボタン式電話機であった場合、相手側装置の使用者は呼出し音により呼び出され受話器を取り上げると、ファクシミリ送信であることを示す不快な音を聴くことになる。この場合には、相手側装置の使用者は、例えば所定のプッシュボタン（或いは任意のプッシュボタン）を押して、接続の確立が誤っていることを示す受信拒否信号を生成する。かかる受信拒否信号を受信した場合には、ステップｎ−８に進み公衆電話回線を介した相手側装置との接続を解消し、しかる後にファクシミリ送信を終了する。従って、相手側装置の使用者は、誤った接続の確立によって繰り返し呼び出されることから回避される。
【００１２】
上記ステップｎ−５において受信了承信号を受信しない理由が例えば相手側ファクシミリ装置における紙詰まり等のトラブルである場合には、上記ステップｎ−７において受信拒否信号を受信しない。この場合には、ステップｎ−９に進み、接続確立が例えば５回でよい所定回数遂行されたか否が判別される。接続確立が所定回数に達していない場合には、ステップｎ−１０に進み相手側装置との接続を一旦解消する。しかる後にステップｎ−１１に進み所定時間間隔をおいた後に、上記ステップｎ−１に戻って接続試行を繰り返す。上記ステップｎ−９において接続確立が既に所定回数遂行された場合には、ステップｎ−１２に進み相手側装置との接続を解消し、しかる後にファクシミリ送信を終了する。
【００１３】
【発明の効果】
本発明のファクシミリ装置においては、誤ったファクシミリ送信であることを相手側装置の使用者が認識し、相手側装置の使用者が受信拒否信号を生成した場合には、かかる相手側装置に対して電話回線を介しての接続を繰り返し試行することを停止し、相手側装置の使用者を繰り返し不快な状態に巻き込むことを回避する。
【図面の簡単な説明】
【図１】本発明に従って構成されたファクシミリ装置を示す簡略ブロック線図。
【図２】図１に示すファクシミリ装置におけるファクシミリ送信制御シーケンスを示すフローチャート。
【符号の説明】
２：ファクシミリ装置
４：画像読取手段
６：ファクシミリ信号生成手段
８：ファクシミリ送受信制御手段（ファクシミリ送信制御手段）
１０：受信信号復調手段
１２：画像生成手段
１４：手動操作パネル
１６：公衆回線
【図１】
2004140753.tif 000003
【図２】
2004140753.tif 000004